(57)【要約】【課題】部品点数を低減して低コストに構成し、同一方向に操作することによってハウジングの嵌合促進と係止解除防止とを行い、作業性と作業安定性とに優れたコネクタを提供する。【解決手段】雌型ハウジング３と、雄型ハウジング５と、ハウジング３，５の嵌合操作力を受けて回動しハウジング３，５の嵌合を促進する回動部材７とを有するコネクタ１において、ハウジング５の係止部９に係止するハウジング３の可撓性ロックアーム１１の動きを回動部材７の規制アーム１３によって規制することにより係止解除を防止する。【選択図】図１
2010186646.tif 000002
【特許請求の範囲】
【請求項１】
雌型端子金具を収容する雌型ハウジングと、雄型端子金具を収容する雄型ハウジングと、前記両ハウジングを嵌合操作する操作力を受けて回動し、この回動に伴って両ハウジングの嵌合を促進する回動部材とを有するコネクタであって、
前記両ハウジングの一方に係止部が設けられ、
前記両ハウジングの他方に前記係止部に係止する可撓性のロックアームが設けられ、
前記回動部材には、前記係止部に係止した状態のロックアームの動きを規制して係止解除を防止する可撓性の規制アームが設けられていることを特徴とするコネクタ。
【請求項２】
請求項１に記載されたコネクタであって、
前記係止部とロックアームとの係止は、係止部側に設けられた係止突起がロックアーム側に設けられた係止孔に係止することによって行われ、
前記回動部材は、規制アームが係止状態のロックアームを係止方向に押圧することによって係止解除を防止することを特徴とするコネクタ。
【請求項３】
請求項１または請求項２に記載されたコネクタであって、
前記両ハウジングの一方に、力点となる力点突部と、作用点となる作用点突部とが設けられ、
前記両ハウジングの他方に、両ハウジングの嵌合操作中に前記力点突部が係合して摺動する力点突部摺動溝及び前記作用点突部が係合して摺動する作用点突部摺動溝と、回動部材が回動する支点となる支点突部とが設けられ、
前記回動部材に、前記作用点突部が係合する切り欠きと、前記支点突部を支持する支点突部支持溝と、可撓アームとが設けられ、
前記切り欠きは、作用点突部が侵入する開口と、回動部材の回動に伴って作動する操作力増幅機能により、開口にある作用点突部を引き込むカム溝とを有し、
前記支点突部支持溝は、支点突部を支持して回動中心とする回動支持部を有し、
前記可撓アームは、前記両ハウジングが嵌合操作されるとき、この操作力を受けて前記作用点突部を切り欠きの前記開口に侵入させると共に、前記力点突部に当接し前記回動支持部を中心にして回動部材を回動させ、この回動に伴って作動する前記カム溝の操作力増幅機能により作用点突部を介して両ハウジングの嵌合を促進させることを特徴とするコネクタ。
【請求項４】
請求項３に記載されたコネクタであって、
回動部材の前記切り欠きは、前記カム溝に連通して設けられた作用点突部移動溝を有し、前記支点突部支持溝は、回動支持部に連通して設けられた支点突部移動溝を有し、
前記両ハウジングが嵌合した後、回動部材をこの嵌合操作方向に押圧すると、前記切り欠きにおいて、作用点突部がカム溝から作用点突部移動溝に移動すると共に、前記支点突部支持溝において、支点突部が回動支持部から支点突部移動溝に移動することによって回動部材が嵌合操作方向に移動し、規制アームがロックアームを係止方向に押圧する位置に移動して係止解除が防止されることを特徴とするコネクタ。
【請求項５】
請求項３または請求項４に記載されたコネクタであって、
両ハウジングが嵌合操作されるときに前記力点突部に当接し撓んだ前記可撓アームに蓄えられた弾発力が、
前記回動部材の回動を促進し、カム溝の操作力増幅機能を強化することを特徴とするコネクタ。
【請求項６】
請求項４に記載されたコネクタであって、
両ハウジングが嵌合操作されるときに前記力点突部に当接し撓んだ前記可撓アームに蓄えられた弾発力が、
嵌合操作方向への回動部材の移動と、作用点突部のカム溝から作用点突部移動溝への移動と、支点突部の回動支持部から支点突部移動溝への移動とを促進することを特徴とするコネクタ。
【請求項７】
請求項１〜請求項６のいずれかに記載されたコネクタであって、
前記両ハウジングの嵌合が不完全であるとき、前記力点突部に当接し撓んだ前記可撓アームに蓄えられた弾発力により、回動部材が嵌合完了を示す完了表示位置から嵌合不完全を示す不完全表示位置まで後退することによって嵌合が不完全であることを検知可能にすることを特徴とするコネクタ。
【発明の詳細な説明】
【技術分野】
【０００１】
本発明は、雌型ハウジングと雄型ハウジングの嵌合促進機能を備えたコネクタに関する。
【背景技術】
【０００２】
特許文献１に「レバー式コネクタ」が記載されている。
【０００３】
図１２のように、このレバー式コネクタ１０１は、雄ハウジング１０３と、雌ハウジング１０５と、雌ハウジング１０５に回動自在に取り付けられたレバー１０７とからなり、ハウジング１０３，１０５を嵌合させるときは、雄ハウジング１０３のフォロワピン１０９をレバー１０７のカム溝１１１に通した状態で、レバー１０７を矢印１１３の方向に回転操作すると、カム溝１１１に生じるカムスラスト力（嵌合促進機能）により、フォロワピン１０９を介して雄ハウジング１０３が雌ハウジング１０５側に引き込まれてハウジング１０３，１０５を嵌合させる。
【０００４】
その後、雌ハウジング１０５の挿入孔１１５にレバー１０７の検知ピン１１７を矢印１１９の方向に挿入し、ハウジング１０３，１０５を嵌合状態に保つと共に、矢印１１９の方向に沿った検知ピン１１７の位置によって嵌合が終了したか否かを検知する。
【先行技術文献】
【特許文献】
【０００５】
【特許文献１】特開２００３−１１５３５６号公報
【発明の概要】
【発明が解決しようとする課題】
【０００６】
しかし、レバー式コネクタ１０１では、ハウジング１０３，１０５の嵌合促進機能と係止解除防止機能とを得るために、レバー１０７と検知ピン１１７の２部材が必要で、部品点数が多く、それだけコスト高である。
【０００７】
また、ハウジング１０３，１０５を嵌合させるレバー１０７の操作方向（矢印１１３）と、検知ピン１１７の挿入方向（矢印１１９）とが全く別方向であり、別の作業であるから、それだけ作業性が悪い。
【０００８】
また、雌ハウジング１０５とレバー１０７との間に存在するガタにより、検知ピン１１７を挿入孔１１５に挿入できず、嵌合が完了したか否かを正しく表示できない恐れもある。
【０００９】
また、レバー１０７（カム溝１１１）とフォロワピン１０９とが外れている場合は、レバー１０７を矢印１１３方向に回転操作してもハウジング１０３，１０５の嵌合は行われないが、このような状態でも検知ピン１１７を挿入孔１１５に挿入することが可能であるから、嵌合していない状態を嵌合が完了した状態と誤認する恐れがある。
【００１０】
また、作業中にレバー１０７の外れが生じ易い。
【００１１】
そこで、この発明は、部品点数を低減することによって低コストに実施可能であり、同一の操作方向でハウジングの嵌合促進と嵌合検知とが行えることによって作業性と作業の安定性とに優れたコネクタの提供を目的としている。
【課題を解決するための手段】
【００１２】
請求項１のコネクタは、雌型端子金具を収容する雌型ハウジングと、雄型端子金具を収容する雄型ハウジングと、前記両ハウジングを嵌合操作する操作力を受けて回動し、この回動に伴って両ハウジングの嵌合を促進する回動部材とを有するコネクタであって、前記両ハウジングの一方に係止部が設けられ、前記両ハウジングの他方に前記係止部に係止する可撓性のロックアームが設けられ、前記回動部材には、前記係止部に係止した状態のロックアームの動きを規制して係止解除を防止する可撓性の規制アームが設けられていることを特徴とする。
【００１３】
請求項２の発明は、請求項１に記載されたコネクタであって、前記係止部とロックアームとの係止は、係止部側に設けられた係止突起がロックアーム側に設けられた係止孔に係止することによって行われ、前記回動部材は、規制アームが係止状態のロックアームを係止方向に押圧することによって係止解除を防止することを特徴とする。
【００１４】
請求項３の発明は、請求項１または請求項２に記載されたコネクタであって、前記両ハウジングの一方に、力点となる力点突部と、作用点となる作用点突部とが設けられ、前記両ハウジングの他方に、両ハウジングの嵌合操作中に前記力点突部が係合して摺動する力点突部摺動溝及び前記作用点突部が係合して摺動する作用点突部摺動溝と、回動部材が回動する支点となる支点突部とが設けられ、前記回動部材に、前記作用点突部が係合する切り欠きと、前記支点突部を支持する支点突部支持溝と、可撓アームとが設けられ、前記切り欠きは、作用点突部が侵入する開口と、回動部材の回動に伴って作動する操作力増幅機能により、開口にある作用点突部を引き込むカム溝とを有し、前記支点突部支持溝は、支点突部を支持して回動中心とする回動支持部を有し、前記可撓アームは、前記両ハウジングが嵌合操作されるとき、この操作力を受けて前記作用点突部を切り欠きの前記開口に侵入させると共に、前記力点突部に当接し前記回動支持部を中心にして回動部材を回動させ、この回動に伴って作動する前記カム溝の操作力増幅機能により作用点突部を介して両ハウジングの嵌合を促進させることを特徴とする。
【００１５】
請求項４の発明は、請求項３に記載されたコネクタであって、回動部材の前記切り欠きは、前記カム溝に連通して設けられた作用点突部移動溝を有し、前記支点突部支持溝は、回動支持部に連通して設けられた支点突部移動溝を有し、前記両ハウジングが嵌合した後、回動部材をこの嵌合操作方向に押圧すると、前記切り欠きにおいて、作用点突部がカム溝から作用点突部移動溝に移動すると共に、前記支点突部支持溝において、支点突部が回動支持部から支点突部移動溝に移動することによって回動部材が嵌合操作方向に移動し、規制アームがロックアームを係止方向に押圧する位置に移動して係止解除が防止されることを特徴とする。
【００１６】
請求項５の発明は、請求項３または請求項４に記載されたコネクタであって、両ハウジングが嵌合操作されるときに前記力点突部に当接し撓んだ前記可撓アームに蓄えられた弾発力が、前記回動部材の回動を促進し、カム溝の操作力増幅機能を強化することを特徴とする。
【００１７】
請求項６の発明は、請求項４に記載されたコネクタであって、両ハウジングが嵌合操作されるときに前記力点突部に当接し撓んだ前記可撓アームに蓄えられた弾発力が、嵌合操作方向への回動部材の移動と、作用点突部のカム溝から作用点突部移動溝への移動と、支点突部の回動支持部から支点突部移動溝への移動とを促進することを特徴とする。
【００１８】
請求項７の発明は、請求項１〜請求項６のいずれかに記載されたコネクタであって、前記両ハウジングの嵌合が不完全であるとき、前記力点突部に当接し撓んだ前記可撓アームに蓄えられた弾発力により、回動部材が嵌合完了を示す完了表示位置から嵌合不完全を示す不完全表示位置まで後退することによって嵌合が不完全であることを検知可能にすることを特徴とするコネクタ。
【発明の効果】
【００１９】
請求項１のコネクタは、回動部材の規制アームが係止突起に係止した状態のロックアームの動きを規制することによって係止解除が防止される。
【００２０】
このように、ハウジングの嵌合促進と係止解除防止とを回動部材（１部材）だけで行えるから、２部材が必要な従来例と異なって、部品点数が低減され、低コストに実施できる。
【００２１】
請求項２のコネクタは、回動部材の規制アームが係止状態のロックアームを係止方向に押圧することによって係止解除を防止し、請求項１の構成と同等の効果が得られる。
【００２２】
請求項３のコネクタは、両ハウジングを嵌合操作すると、可撓アームがこの操作力を受けて力点突部に当接し、回動部材を回動させ、この回動に伴ってカム溝の操作力増幅機能が作動し、両ハウジングの嵌合を促進させることによって、請求項１または請求項２の構成と同等の効果が得られる。
【００２３】
また、作業者は、両ハウジングを嵌合操作するに当たって一方のハウジングを嵌合操作方向に押圧するだけでハウジングの嵌合が促進されるから、それだけ小さな操作力で、安定してハウジングを嵌合させることができる。
【００２４】
請求項４のコネクタは、請求項３の構成と同等の効果が得られる。
【００２５】
また、両ハウジングが嵌合した後、回動部材をこの嵌合操作方向に押圧するだけで、回動部材が嵌合操作方向に移動し、規制アームがロックアームを押圧して係止解除が防止される。
【００２６】
このように、作業者は、一方のハウジングを嵌合操作方向に押圧して両ハウジングを嵌合させ、嵌合後は、回動部材を同方向に押圧するだけで、係止解除を防止することができる。
【００２７】
このように、嵌合促進と係止解除防止とを同方向の操作力で行えるから、ハウジング１０３，１０５の嵌合操作方向（矢印１１３）と検知ピン１１７の挿入方向（矢印１１９）とが別方向である従来例と異なって、極めて作業性がよく、作業性が安定する。
【００２８】
請求項５のコネクタは、請求項３または請求項４の構成と同等の効果が得られる。
【００２９】
また、ハウジングが嵌合操作されるときに可撓アームに蓄えられた弾発力が、回動部材の回動を促進し、カム溝の操作力増幅機能が強化され、ハウジングの嵌合作業がさらに容易になる。
【００３０】
請求項６のコネクタは、請求項４の構成と同等の効果が得られる。
【００３１】
また、ハウジングが嵌合操作されるときに可撓アームに蓄えられた弾発力によって嵌合操作方向への回動部材の移動が促進されるから、規制アームによるロックアームの係止解除機能がさらに向上する。
【００３２】
請求項７のコネクタは、請求項１〜請求項６の構成と同等の効果が得られる。
【００３３】
また、ハウジングの嵌合が不完全であるときは、可撓アームに蓄えられた弾発力が、嵌合完了を示す完了表示位置から嵌合不完全を示す不完全表示位置まで回動部材を後退させるから、ハウジング１０３，１０５が嵌合していない状態を嵌合が完了した状態と誤認する恐れがある従来例と異なって、嵌合が完了したか否かをさらに明確に検知することができる。
【図面の簡単な説明】
【００３４】
【図１】コネクタ１の構成を示す斜視図である。
【図２】コネクタ１を構成する雌型ハウジング３を示す斜視図である。
【図３】コネクタ１を構成する雄型ハウジング５を示す斜視図である。
【図４】コネクタ１を構成する回動部材７を示す斜視図である。
【図５】ハウジング３，５を嵌合操作する前の様子を示すコネクタ１の側面図である。
【図６】ハウジング３，５を嵌合操作する途中の様子を示すコネクタ１の側面図である。
【図７】ハウジング３，５を嵌合操作する途中の様子を示すコネクタ１の側面図である。
【図８】ハウジング３，５を嵌合操作する途中の様子を示すコネクタ１の側面図である。
【図９】嵌合が完了した直後のコネクタ１を示す断面図である。
【図１０】嵌合が完了した後、回動部材７を嵌合操作方向に押圧する様子を示すコネクタ１の側面図である。
【図１１】嵌合が完了した後、回動部材７を押圧したことによって規制アーム１３が移動し、ロックアーム１１を押圧して係止解除を防止する様子を示すコネクタ１の断面図である。
【図１２】従来例のレバー式コネクタ１０１を示す側面図である。
【発明を実施するための形態】
【００３５】
以下、本発明に係るコネクタの実施形態について説明する。
【実施例】
【００３６】
図１〜図１１によってコネクタ１（本発明の一実施例）の説明をする。
【００３７】
コネクタ１は、雌型端子金具を収容する雌型ハウジング３と、雄型端子金具を収容する雄型ハウジング５と、両ハウジング３，５の嵌合操作力を受けて回動し、この回動に伴って両ハウジング３，５の嵌合を促進する回動部材７とを有する。
【００３８】
雄型ハウジング５（両ハウジング３，５の一方）に係止部９が設けられ、係止部９に係止する可撓性のロックアーム１１が雌型ハウジング３（両ハウジング３，５の他方）に設けられ、回動部材７には、係止部９に係止した状態のロックアーム１１の動きを規制して係止解除を防止する可撓性の規制アーム１３が設けられている。
【００３９】
また、係止部９とロックアーム１１との係止は、係止部９側に設けられた係止突起１５がロックアーム１１側に設けられた係止孔１７に係止することによって行われ、回動部材７は、規制アーム１３が係止状態のロックアーム１１を係止方向に押圧することによって係止解除を防止する。
【００４０】
また、雄型ハウジング５（両ハウジング３，５の一方）に、力点となる力点ボス１９（力点突部）と、作用点となる作用点ボス２１（作用点突部）とが設けられ、雌型ハウジング３（両ハウジング３，５の他方）に、両ハウジング３，５の嵌合操作中に力点ボス１９が係合して摺動する力点ボス摺動溝２３（力点突部摺動溝）及び作用点ボス２１が係合して摺動する作用点ボス摺動溝２５（作用点突部摺動溝）と、回動部材７が回動する支点となる支点ボス２７（支点突部）とが設けられ、回動部材７に、作用点ボス２１が係合する切り欠き２９と、支点ボス２７を支持する支点ボス支持溝３１（支点突部支持溝）と、可撓アーム３３とが設けられ、切り欠き２９は、作用点ボス２１が侵入する開口３５と、回動部材７の回動に伴って作動する操作力増幅機能により、開口３５にある作用点ボス２１を引き込むカム溝３７とを有し、支点ボス支持溝３１は、支点ボス２７を支持して回動中心とする回動支持部３９を有し、可撓アーム３３は、両ハウジング３，５が嵌合操作されるとき、この操作力を受けて作用点ボス２１を切り欠き２９の開口３５に侵入させると共に、力点ボス１９に当接し回動支持部３９を中心にして回動部材７を回動させ、この回動に伴って作動するカム溝３７の操作力増幅機能により作用点ボス２１を介して両ハウジング３，５の嵌合を促進させる。
【００４１】
また、回動部材７の切り欠き２９は、カム溝３７に連通して設けられた作用点ボス移動溝４１を有し、支点ボス支持溝３１は、回動支持部３９に連通して設けられた支点ボス移動溝４３を有し、両ハウジング３，５が嵌合した後、回動部材７をこの嵌合操作方向に押圧すると、切り欠き２９において、作用点ボス２１がカム溝３７から作用点ボス移動溝４１に移動すると共に、支点ボス支持溝３１において、支点ボス２７が回動支持部３９から支点ボス移動溝４３に移動することによって回動部材７が嵌合操作方向に移動し、規制アーム１３がロックアーム１１を係止方向に押圧する位置に移動して係止解除が防止される。
【００４２】
また、両ハウジング３，５が嵌合操作されるときに力点ボス１９に当接し撓んだ可撓アーム３３に蓄えられた弾発力が、回動部材７の前記回動を促進し、カム溝３７の操作力増幅機能を強化する。
【００４３】
また、両ハウジング３，５が嵌合操作されるときに撓んだ可撓アーム３３に蓄えられた前記弾発力が、嵌合操作方向への回動部材７の移動と、作用点ボス２１のカム溝３７から作用点ボス移動溝４１への移動と、支点ボス２７の回動支持部３９から支点ボス移動溝４３への移動とを促進する。
【００４４】
また、両ハウジング３，５の嵌合が不完全であるとき、可撓アーム３３に蓄えられた前記弾発力によって、回動部材７が嵌合完了を示す完了表示位置４５（図８と図１０）から嵌合不完全を示す不完全表示位置４７（図８）まで後退することによって嵌合が不完全であることを検知可能にする。
【００４５】
図１〜図３のように、雌型ハウジング３は嵌合フード４９に設けられた４箇の収容部５１に雌型端子金具を収容し、雄型ハウジング５は４箇の収容部５３に雄型端子金具を収容している。コネクタ１は、雌型ハウジング３を押圧し、嵌合フード４９にパッキング５５と雄型ハウジング５をこの順に装着することによって雌型端子金具と雄型端子金具とを嵌合させる。雌型ハウジング３にはこのように押圧操作するための手持ち部５７が設けられている。また、雄型ハウジング５には作用点ボス２１と一体のガイドリブ５９が設けられており、ガイドリブ５９が作用点ボス摺動溝２５を摺動するガイド機能によって、嵌合フード４９内で雄型ハウジング５が円滑に摺動する。また、可撓アーム３３には仮係止リブ６１が設けられ、雌型ハウジング３には仮係止リブ６１が係止し、また、仮係止リブ６１を移動自在に収容する仮係止リブ避け溝６３が設けられている。
【００４６】
次に、図５〜図１１によってハウジング３，５の嵌合手順を説明する。
【００４７】
図５は嵌合操作前の状態を示しており、この状態では、雌型ハウジング３の嵌合フード４９内にパッキング５５がすでに装着されており、可撓アーム３３の仮係止リブ６１は雌型ハウジング３の仮係止リブ避け溝６３に仮係止している。
【００４８】
図６のように、手持ち部５７を押圧して雌型ハウジング３を雄型ハウジング５側（嵌合操作方向）へ移動させると、雄型ハウジング５が嵌合フード４９に侵入すると共に、作用点ボス２１が可撓アーム３３の切り欠き２９（開口３５）へ侵入し、可撓アーム３３と力点ボス１９とが当たり、回動部材７が回動を開始し、可撓アーム３３の仮係止リブ６１と仮係止リブ避け溝６３との仮係止が解除される。
【００４９】
図７のように、雌型ハウジング３をさらに押圧すると、可撓アーム３３が撓み始めると共に、回動部材７の回動が進み、作用点ボス２１が切り欠き２９のカム溝３７へ引き込まれる。
【００５０】
図８のように、雌型ハウジング３をさらに押圧すると、可撓アーム３３の撓みによる弾発力の蓄積が進むと共に、回動部材７の回動に伴ってカム溝３７が作用点ボス２１を介し雄型ハウジング５を雌型ハウジング３側に引き込み、この操作力増幅機能によってハウジング３，５の嵌合が促進され、雌型端子金具と雄型端子金具の嵌合が完了する。
【００５１】
図９のように、このとき、雄型ハウジング５の係止突起１５（係止部９）は雌型ハウジング３の係止孔１７（ロックアーム１１）に係止しているが、回動部材７の規制アーム１３は未だロックアーム１１を押圧（係止解除防止）する位置まで移動していない。
【００５２】
次に、図１０のように、回動部材７の上部６５をハウジング３，５の嵌合操作方向に押圧すると、作用点ボス２１が切り欠き２９のカム溝３７から作用点ボス移動溝４１へ移動し、支点ボス２７が支点ボス支持溝３１の回動支持部３９から支点ボス移動溝４３へ移動すると共に、可撓アーム３３の仮係止リブ６１が雌型ハウジング３の仮係止リブ避け溝６３に本係止する。
【００５３】
図１１のように、このとき、回動部材７の規制アーム１３は係止突起１５に係止しているロックアーム１１を係止方向に押圧する位置まで移動し、係止解除を防止している。
【００５４】
また、両ハウジング３，５の嵌合が不完全であるときは、可撓アーム３３に蓄積された弾発力によって、回動部材７の嵌合方向端部が、嵌合完了を示す図８と図１０の完了表示位置４５から嵌合不完全を示す図８の不完全表示位置４７まで後退し、完了表示位置４５と不完全表示位置４７との間隔６９（図８）を目測することによって嵌合が不完全であることを検知することができる。
【００５５】
コネクタ１は、雌型ハウジング３を雄型ハウジング５との嵌合方向に押圧操作すると、この操作力を受けて回動部材７の可撓アーム３３が力点ボス１９に当接し、回動部材７を回動させてカム溝３７の操作力増幅機能が作動し、ハウジング３，５の嵌合を促進させる。また、ハウジング３，５を嵌合させた後、回動部材７を同方向へさらに押圧すると、規制アーム１３が係止部９（ハウジング５）に係止したロックアーム１１（ハウジング３）を係止方向に押圧することによって係止解除を防止する。
【００５６】
このように、ハウジング３，５の嵌合促進と係止解除防止とを１部材の回動部材７だけで行えるから、２部材が必要な従来例と異なり、部品点数が低減されて低コストに実施できる。
【００５７】
また、嵌合促進と係止解除防止とを同方向の操作力で行えるから、従来例と異なって、極めて作業性がよく、作業性が安定する。
【００５８】
また、ハウジング３，５が嵌合操作されるときに可撓アーム３３に蓄えられた弾発力が回動部材７の回動を促進し、カム溝３７の操作力増幅機能を強化するから嵌合作業がさらに容易になる。
【００５９】
また、可撓アーム３３に蓄えられた弾発力によって回動部材７の嵌合操作方向への移動が促進されるから、規制アーム１３によるロックアーム１１の係止解除機能がさらに向上する。
【００６０】
また、ハウジング３，５の嵌合が不完全であるときは、可撓アーム３３に蓄えられた弾発力が、回動部材７を不完全表示位置４７まで後退させるから、従来例と異なって、嵌合が完了したか否かを明確に検知できる。
【符号の説明】
【００６１】
１  コネクタ
３  雌型ハウジング
５  雄型ハウジング
７  回動部材
９  係止部
１１  ロックアーム
１３  規制アーム
１５  係止突起（係止部９）
１７  係止孔（ロックアーム１１）
１９  力点ボス（力点突部）
２１  作用点ボス（作用点突部）
２３  力点ボス摺動溝（力点突部摺動溝）
２５  作用点ボス摺動溝（作用点突部摺動溝）
２７  支点ボス（支点突部）
２９  切り欠き
３１  支点ボス支持溝（支点突部支持溝）
３３  可撓アーム
３５  切り欠き２９の開口
３７  切り欠き２９のカム溝
３９  支点ボス支持溝３１の回動支持部
４１  切り欠き２９の作用点ボス移動溝
４３  支点ボス支持溝３１の支点ボス移動溝
４５  嵌合の完了表示位置
４７  嵌合の不完全表示位置
【図１】
2010186646.tif 000003
【図２】
2010186646.tif 000004
【図３】
2010186646.tif 000005
【図４】
2010186646.tif 000006
【図５】
2010186646.tif 000007
【図６】
2010186646.tif 000008
【図７】
2010186646.tif 000009
【図８】
2010186646.tif 000010
【図９】
2010186646.tif 000011
【図１０】
2010186646.tif 000012
【図１１】
2010186646.tif 000013
【図１２】
2010186646.tif 000014